(57)【特許請求の範囲】
【請求項１】
踵部の内側に、弾性素材にて前記踵部とは別体に形成され、上下に弾性の異なる部位を有する撓曲部材を配した靴であって、
前記撓曲部材は、幅方向・上下方向に沿って後方側が凸となる形で弓形に湾曲し、上方側に形成された弾性率の小さい屈曲部と、下方側に形成された弾性率の大きい基部と、下端部に形成され前記基部からつま先側に向かって延設された舌部と、を有し、
前記舌部は、前記靴の中底と該撓曲部材の内面とが滑らかにつながるよう先端部側に向かって薄くなっており、
靴使用者が当該靴の履口に足を入れ前記踵部を前記足にて圧迫すると、前記撓曲部材の前記屈曲部側のみが前記基部に支持されつつ内側に曲がり、前記足が当該靴内に収まった後、前記屈曲部側は弾性的に元の状態に復帰し、湾曲した前記撓曲部材が前記踵部の内側にフィットすることを特徴とする靴。
【請求項２】
請求項１記載の靴において、前記撓曲部材は、該撓曲部材上端の上面部と前記舌部の前方側端部が同じ垂線上に配置されるように湾曲して形成されることを特徴とする靴。
【請求項３】
請求項１又は２記載の靴において、
前記撓曲部材の前記基部側は、前記屈曲部側よりも、厚さが厚く、幅が広く形成され、
前記撓曲部材の前記屈曲部側は、上方に行くほど厚さが薄く、幅が狭く形成され、
前記撓曲部材は、後方側が凸となる形で弓形に湾曲しつつ、中央部が最も厚く、幅方向両側部に向かって厚みが減少するよう形成されていることを特徴とする靴。
【請求項４】
請求項１〜３の何れか１項に記載の靴において、前記撓曲部材の下から１／３より上の部分を前記屈曲部としたことを特徴とする靴。
【請求項５】
請求項１〜４の何れか１項に記載の靴において、当該靴は、前記基部の後方側に該基部の後方部位を一部置換する形で配置され、前記撓曲部材よりも比重の小さい素材にて形成されたサポート部材を有することを特徴とする靴。
【請求項６】
請求項１〜５の何れか１項に記載の靴において、当該靴は革靴であり、前記撓曲部材は、該革靴の前記踵部上部を切り離して形成した切片に固定されると共に、該切片を元の位置に配置しつつ、前記踵部の内側に固定されることを特徴とする靴。
【請求項７】
請求項１〜６の何れか１項に記載の靴において、前記撓曲部材は、合成ゴム、天然ゴム、合成樹脂の何れかにて形成されることを特徴とする靴。
【発明の詳細な説明】
【技術分野】
【０００１】
本発明は、高齢者や要支援者・要介護者（以下、高齢者等と略記する）でも装着が容易な靴べら不要の靴に関し、特に、靴を履く際に踵部分を踏み押さえても、後に踵部分が自律的に元に戻る、高齢者等に有用な靴に関する。
【背景技術】
【０００２】
従来より、着脱が容易な靴として、踵部分に柔軟部材を取り付けたり（特許文献１）、踵部分を柔軟部材にて形成したり（特許文献２）したものが知られている。また、踵自体をばねにて形成したり（特許文献３）、蝶番状の部材を設けたり（特許文献４）したものや、踵部分に孔を開けて復元性を向上させたもの（特許文献５）も提案されている。さらに、近年では、靴の甲部分にファスナを設けたものも上市されている。
【先行技術文献】
【特許文献】
【０００３】
【特許文献１】実用新案登録第3149834号公報
【特許文献２】特開2010-104416号公報
【特許文献３】特開2012-61046号公報
【特許文献４】特開2003-70502号公報
【特許文献５】特開2003-52410号公報
【発明の概要】
【発明が解決しようとする課題】
【０００４】
しかしながら、従来の靴では、踵部分に配した柔軟部材の戻りが悪く、靴を履き終えたにもかかわらず、踵がうまく復元しないという問題があった。また、踵に別部材を配したものでは、どうしても踵部分に異物感があり、着用感が良くないという問題があった。さらに、孔を開けたものでは、踵が外部に露出した形となり、靴と言うよりはサンダルに近く、足のサポート性が良くないという問題があった。
【０００５】
これに対し、ファスナを設けたものは、上述のような問題は生じないが、ファスナ操作が必須であり、手の不自由な高齢者等には使いづらい。また、ファスナ自体も壊れやすく、ファスナの損傷により、靴自体には何の問題もないにも関わらず、その靴を破棄せざるを得ないという問題もあった。
【０００６】
本発明は、履いた後の踵部分の戻りが良く、高齢者等でも履きやすく、しかも、異物感なく履き続けられる靴を提供することを目的とする。
【課題を解決するための手段】
【０００７】
本発明の靴は、踵部の内側に、弾性素材にて前記踵部とは別体に形成され、上下に弾性の異なる部位を有する撓曲部材を配した靴であって、前記撓曲部材は、幅方向・上下方向に沿って後方側が凸となる形で弓形に湾曲し、上方側に形成された弾性率の小さい屈曲部と、下方側に形成された弾性率の大きい基部と、下端部に形成され前記基部からつま先側に向かって延設された舌部と、を有し、前記舌部は、前記靴の中底と該撓曲部材の内面とが滑らかにつながるよう先端部側に向かって薄くなっており、靴使用者が当該靴の履口に足を入れ前記踵部を前記足にて圧迫すると、前記撓曲部材の前記屈曲部側のみが前記基部に支持されつつ内側に曲がり、前記足が当該靴内に収まった後、前記屈曲部側は弾性的に元の状態に復帰し、湾曲した前記撓曲部材が前記踵部の内側にフィットすることを特徴とする。
【０００８】
本発明あっては、使用者が踵部の上部を踏むようにして履口に足を入れると、踵部の上部が使用者の踵によって圧迫され、内側に折り曲げられる。このとき、踵部の内側に配された撓曲部材も圧迫され、撓曲部材上下の弾性の違いにより、基部側は折り曲げられずそのままの状態が保持され、屈曲部側の部位が内側に曲げられる。足が靴内に収まると、それまで内側に曲げられていた屈曲部が、自身の弾性力によって元の状態に戻り、踵部は元の形に復元される。これにより、使用者が靴べらなどを特に用いることなく、靴を履くことが可能となる。
【０００９】
前記靴において、前記撓曲部材を、該撓曲部材上端の上面部と前記舌部の前方側端部が同じ垂線上に配置されるように湾曲形成しても良い。また、前記撓曲部材の前記基部側を、前記屈曲部側よりも、厚さが厚く、幅が広くなるよう形成し、前記撓曲部材の前記屈曲部側を、上方に行くほど厚さが薄く、幅が狭くなるよう形成し、さらに、前記撓曲部材を、後方側が凸となる形で弓形に湾曲しつつ、中央部が最も厚く、幅方向両側部に向かって厚みが減少するよう形成して良い。加えて、前記撓曲部材の下から１／３より上の部分を前記屈曲部とするようにしても良い。
【００１０】
また、前記基部の後方側に該基部の後方部位を一部置換する形でサポート部材を配置しても良く、このサポート部材を、合成樹脂等、前記撓曲部材よりも比重の小さい素材にて形成しても良い。
【００１１】
さらに、当該靴が革靴の場合、該革靴の前記踵部上部を切り離して形成した切片に前記撓曲部材を固定すると共に、前記撓曲部材を、該切片を元の位置に配置しつつ、前記踵部の内側に固定するようにしても良い。
【００１２】
加えて、前記撓曲部材を、合成ゴム、天然ゴム、合成樹脂の何れかにて形成するようにしても良い。
【発明の効果】
【００１３】
本発明によれば、踵部の内側に弾性素材にて形成された撓曲部材を配した靴にて、該撓曲部材に上下に弾性の異なる部位を設け、上方側に弾性率の小さい屈曲部、下方側に弾性率の大きい基部を配し、靴使用者が足を入れると、屈曲部側が基部に支持されつつ内側に曲がり、足が靴内に収まった後、屈曲部側が弾性的に元の状態に復帰するようにしたので、使用者が靴べらなどを特に用いることなく、靴を履くことが可能となる。従って、従来の靴のように、踵部分に配した柔軟部材の戻りが悪い、といった不具合がなく、高齢者等でも容易に着用できる履きやすい靴を提供することが可能となる。
【図面の簡単な説明】
【００１４】
【図１】本発明の実施の形態１である高齢者用の靴の構成を示す説明図である。
【図２】図１の靴に使用される撓曲部材の構成を示す斜視図である。
【図３】（ａ）は撓曲部材の正面図、（ｂ）は同平面図、（ｃ）は同側面図である。
【図４】（ａ）は図１のＡ−Ａ線に沿った断面図、（ｂ）はＢ−Ｂ線に沿った断面図である。
【図５】使用者が図１の靴に足を入れたときの踵部の様子を示す説明図である。
【図６】本発明の実施の形態２である靴の構成を示す説明図である。
【図７】図６の靴に使用されるサポート部材の構成を示す斜視図である。
【図８】図６の靴に使用される撓曲部材の断面図である。
【図９】本発明の実施の形態３である靴の構成を示す説明図であり、（ａ）はその斜視図、（ｂ）は実施の形態３の靴を後側から見た構成をそれぞれ示している。
【図１０】（ａ）は図９の靴に使用される撓曲部材の構成を示す説明図、（ｂ）はその変形例を示す説明図である。
【図１１】本発明による撓曲部材の変形例を示す説明図（正面図）である。
【発明を実施するための形態】
【００１５】
（実施の形態１）
以下、本発明の実施形態を図面に基づいて詳細に説明する。図１は、本発明の実施の形態１である高齢者用の靴１の構成を示す説明図である。図２〜図４は撓曲部材６の構成を示す説明図であり、図２は撓曲部材６の斜視図、図３（ａ）は正面図、同（ｂ）は平面図、同（ｃ）は側面図、図４（ａ）は図１のＡ−Ａ線に沿った断面図、（ｂ）はＢ−Ｂ線に沿った断面図である。図２〜４に示すように、撓曲部材６は、上側ほど幅Ｗと厚さｔが小さくなるように形成されており、靴底部５側に配される基部１１と、基部１１の上方の屈曲部１２とから構成されている。屈曲部１２は基部１１と一体に形成されており、両者は明確に区画されないが、撓曲部材６の全長Ｌに対して、靴底部５側から概ねＬ／２程度の高さの部位が基部１１、それより上が屈曲部１２となっている。撓曲部材６は、基部１１側に行くほど厚く幅が広くなるよう形成されており、基部１１側の方が屈曲部１２側よりも弾性率（ヤング率）が高く（曲がりにくく）なっている。
【００１６】
基部１１は、下部１３と上部１４とから構成されている。下部１３は、幅広（５０ｍｍ程度）かつ厚肉（１０ｍｍ程度）に形成されており、図２の撓曲部材６では、幅Ｗが一定となっている。下部１３の最下部には、踵部４に撓曲部材６を取り付けたとき、靴１の中底７に撓曲部材６が馴染むように、舌部１５が形成されている。舌部１５は、撓曲部材６の厚さ方向に向かって約５ｍｍ程度延設されており、この舌部１５により、中底７と撓曲部材６の内面６ａとが滑らかにつながり、靴１を履いたときの撓曲部材６による違和感が抑えられる。なお、各部の寸法は一例であり、靴のサイズや形状により適宜変更可能であることは言うまでもない。
【００１７】
上部１４は、下部１３の上方に一体的に設けられ、上方に向かって、幅が狭く厚さが小さくなっている。基部１１と屈曲部１２の境界部分では、撓曲部材６の厚さは、下部１３の約半分（５ｍｍ程度）になっている。図３（ａ）に示すように、下部１３と屈曲部１２は、連続する形でテーパ状に幅が狭くなっており、屈曲部１２の最上部は、幅４ｍｍ、厚さ１ｍｍ程度の上面部１６となっている。すなわち、撓曲部材６では、下部１３と屈曲部１２は、全体として、三角形に近い上底の小さな等脚台形状となっている。
【００１８】
図３（ｂ）、図４（ａ）,（ｂ）に示すように、撓曲部材６は、全体として、幅方向・上下方向に沿って、弓形に湾曲している。幅方向は、靴１の後方側が凸となる形で湾曲しており、中央部が最も厚く、両側部に向かって厚みが減少する形になっている。また、上下方向も靴１の後方側が凸となる形で湾曲しており、上面部１６と舌部１５の前方側の端部がほぼ同じ垂線Ｐ上に配置されるようになっている。このように、撓曲部材６全体を湾曲させることにより、撓曲部材６を踵部４の内側にフィットさせることができ、舌部１５の存在も相俟って、靴使用者に異物感のない状態で撓曲部材６を靴１内に配置することが可能となる。
【００１９】
図５は、使用者が靴１に足８を入れたときの踵部４の様子を示す説明図である。このような撓曲部材６を備えた靴１では、使用者は、踵部４の上部を踏むようにして履口３に足８を入れる。すると、踵部４の上部が使用者の踵によって圧迫され、内側に折り曲げられる（図５（ａ））。このとき、踵部４の内側に配された撓曲部材６も圧迫され、撓曲部材６全体が傾斜するが、撓曲部材上下の弾性の違いにより、基部１１側は折り曲げられずそのままの状態が保持され、屈曲部１２側（撓曲部材全体の概ね１／２より上の部分）の部位が内側に曲げられる。
【００２０】
そして、足８が靴１内に収まると、それまで内側に曲げられていた屈曲部１２が、自身の弾性力によって元の状態に戻る（図５（ｂ））。これにより、踵部４は元の形に復元され、使用者が靴べらなどを特に用いることなく、立ったままで靴１を履くことが可能となる。なお、発明者の試作実験によれば、撓曲部材の下から１／３以下まで屈曲部１２が及ぶと復元性が低下し、折り曲げられた部分が戻りにくかったり、戻らなかったりする不具合が生じる。また、屈曲部１２の最上部の幅が広かったり、厚かったりすると、やはり、復元性が低下する。
【００２１】
すなわち、靴１においては、上下に弾性の異なる部位を有する撓曲部材６を踵部４に配することにより、靴使用者が足８を履口３に入れたとき、撓曲部材６上方の屈曲部１２側が内側に曲がり、足８が靴１内に収まった後、屈曲部１２側が弾性的に復帰する。この際、撓曲部材６の下方に位置する基部１１側は、靴使用者が足８を履口３に入れても折れ曲がらず屈曲部１２を支持し、屈曲部１２側のみが折れ曲がる。そして、屈曲部１２側の拘束が解放されると、撓曲部材６は直ちに元の状態に戻る。
【００２２】
このように、本発明の靴１では、屈曲部１２側が鋭敏に元の状態に復帰しやすく、従来の靴のように、踵部分に配した柔軟部材の戻りが悪い、といった不具合がない。すなわち、足８が靴１内に収まると、踵部４は速やかに元の形に復元される。また、撓曲部材６は全体が湾曲した柔軟部材であるため、踵部４の内側に馴染みやすく、踵部分の異物感が抑えられ、着用感の改善が図られる。従って、本発明によれば、高齢者等でも履きやすく、しかも、異物感なく履き続けられる靴を提供することが可能となる。
【００２３】
また、本発明の靴１は、踵部４に孔を開けることなく、踵部４の弾性復帰が図られる。このため、踵を外部に露出させることなく、足をサポートすることが可能となる。さらに、靴１では、その着脱に際してファスナ操作は不要であり、また、ファスナの故障もないため、手の不自由な高齢者等にとっても使いやすく、ファスナ損傷のみによる破棄という資源的な無駄も無くすことが可能となる。
【００２４】
（実施の形態２）
図６は、本発明の実施の形態２である靴２１の構成を示す説明図である。なお、以下の実施の形態では、実施の形態１と同様の部分、部材には同一の符号を付し、その説明は省略する。靴２１では、撓曲部材の軽量化のため、撓曲部材２２の基部１１に合成樹脂製のサポート部材２３を配している。図７はサポート部材２３の斜視図、図８は撓曲部材２２の断面図（図１のＡ−Ａ線断面相当）である。サポート部材２３は、撓曲部材２２の素材（合成ゴム）よりも比重の小さな素材（ポリアミド，ポリエチレン等の合成樹脂や木材など）にて形成されている。
【００２５】
図７に示すように、サポート部材２３は、前述の撓曲部材６における基部１１の後部を合成樹脂等の軽量部材にて置き換えたものであり、みかんの房のように円弧と弦に囲まれた平面を立体化した形となっている。サポート部材２３と撓曲部材２２は接着剤にて貼り付けられる。基部１１は、屈曲部１２よりも曲げ剛性が高いことが必要とされるが、サポート部材２３は、硬質のプラスティック等にて形成されており、基部１１全体としての剛性は確保される。その一方、サポート部材２３はゴムよりも軽いため、撓曲部材全体の重量は軽くなり、靴２１の軽量化が図られる。
【００２６】
（実施の形態３）
図９（ａ）,（ｂ）は、本発明の実施の形態３である靴３１の構成を示す説明図であり、本発明を革靴に適用した一例を示している。靴３１は革靴であり、図９に示すように、ここでは踵部４の上部を切り離し、切片３２を形成する。切片３２の内側には、合成ゴム製の撓曲部材３３が貼り付けられる。撓曲部材３３は、切片３２を切り離した踵部４の残りの部位（踵残存部３４）に固定される。その際、切片３２は、踵部４の元の位置に収まるように配置される。
【００２７】
この場合、切片３２を切り離す位置Ｘは、靴底部５を除いた靴の高さＨに対し、下から２／３以上の位置に設定されている。発明者の試作実験によると、下から１／２以下の位置にて切り離すと、撓曲部材３３が戻らない場合がある。１／２を超え〜２／３未満の位置にて切り離した場合は、戻りはするものの、やや動作が鈍く、位置Ｘは下から２Ｈ／３以上とすることが好ましい。
【００２８】
図１０は、靴３１に使用される撓曲部材３３の構成を示す説明図である。図１０（ａ）に示すように、撓曲部材３３は、富士山を細くしたような略三角形状に形成されている。撓曲部材３３もまた、前述の撓曲部材６と同様に、全体として、幅方向・上下方向に沿って、弓形に湾曲している。但し、撓曲部材３３では、切片３２が取り付けられる屈曲部３５が上方に寄っているため、撓曲部材上部の厚みが、撓曲部材６よりも厚く設定されている。つまり、撓曲部材６では、切り離し位置Ｘ近傍に相当する部位の厚さが、概ね３〜４ｍｍであるのに対し、撓曲部材３３では、切り離し位置Ｘでの部材厚が５ｍｍ程度確保されている。これにより、屈曲部３５の弾性率が高くなり、切片３２がより迅速に元の位置に復帰する。なお、撓曲部材６の寸法をそのまま適用しても、切片３２は支障なく復帰する。
【００２９】
このような靴３１では、使用者が履口３に足８を入れると、切片３２が使用者の踵によって圧迫されて折り曲げられる。このとき、切片３２の内側に配された撓曲部材３３も圧迫されるが、革靴の踵残存部３４は硬いことから、踵残存部３４に固定された基部３６側は、やや傾斜しながらもその状態が保持され、屈曲部３５側が切片３２と共に内側に曲げられる。そして、足８が靴１内に収まると、それまで内側に曲げられていた屈曲部３５が、自身の弾性力によって元の状態に戻り、踵部４は元の形に復元される。これにより、使用者が靴べらなどを特に用いることなく、靴３１を履くことが可能となる。
【００３０】
本発明は前記実施形態に限定されるものではなく、その要旨を逸脱しない範囲で種々変更可能であることは言うまでもない。
例えば、前述の実施形態では、撓曲部材に合成ゴム製のものを使用した例を示したが、撓曲部材の素材は合成ゴムには限定されず、天然ゴムや、シリコン等の合成樹脂など、弾性的な反発力を備えた弾性素材であれば適宜使用可能である。また、撓曲部材の形状も、撓曲部材６のように、上側を台形状としたものには限定されず、図１１のように、全体を略半円状に形成しても良い（撓曲部材４１）。さらに、実施の形態３に、実施の形態１の撓曲部材６や、実施の形態２の撓曲部材２２＋サポート部材２３を用いることも可能である。加えて、革靴はスニーカ等に比して踵部が硬いことから、実施の形態３の撓曲部材３３は、図１０（ｂ）のように基部３６側を小さくしても良く、これにより、撓曲部材３３の軽量化や材料の節約が図られる。
【符号の説明】
【００３１】
１    靴
２    甲部
３    履口
４    踵部
５    靴底部
６    撓曲部材
６ａ  内面
７    中底
８    足
１１    基部
１２    屈曲部
１３    下部
１４    上部
１５    舌部
１６    上面部
２１    靴
２２    撓曲部材
２３    サポート部材
３１    靴
３２    切片
３３    撓曲部材
３４    踵残存部
３５    屈曲部
３６    基部
４１    撓曲部材
Ｗ      幅
ｔ      厚さ
Ｌ      全長
Ｐ      垂線
Ｘ      切り離し位置
Ｈ      高さ
【図１】
0006552885.tif 000002
【図２】
0006552885.tif 000003
【図３】
0006552885.tif 000004
【図４】
0006552885.tif 000005
【図５】
0006552885.tif 000006
【図６】
0006552885.tif 000007
【図７】
0006552885.tif 000008
【図８】
0006552885.tif 000009
【図９】
0006552885.tif 000010
【図１０】
0006552885.tif 000011
【図１１】
0006552885.tif 000012